(57)【要約】【課題】  ノーズパッドの跡が鼻の側面に付いて痛みが生じるのを防止する。【解決手段】  ノーズパッド１６、１６をパッド足１１、１１を介してフロント部に取り付けるノーズパッド取付け部の構造１０であって、各パッド足１１を柔らかい材料、線径の細い材料で形成し、ノーズパッド１６、１６に加わるメガネフレームからの荷重に応じて弾性変形するように構成する。メガネフレームを顔に装着したときに、メガネフレームからの荷重に応じて両パッド足１１、１１が弾性変形することにより、両ノーズパッド１６、１６が鼻の側面に強く当たるのが防止され、鼻の側面にノーズパッド１６、１６の跡が付いて痛みが生じるのを防止でき、長時間に渡って快適な装着性が得られることになる。【選択図】        図２
2005352157.tif 000002
【特許請求の範囲】
【請求項１】
ノーズパッドをパッド足を介してフロント部に取り付けるノーズパッド取付け部の構造であって、
前記パッド足を、前記ノーズパッドに加わる荷重に応じて弾性変形可能に構成したことを特徴とするノーズパッド取付け部の構造。
【請求項２】
前記パッド足を、前記ノーズパッドに加わる荷重に応じて弾性変形可能な素材で形成したことを特徴とする請求項１に記載のノーズパッド取付け部の構造。
【請求項３】
前記パッド足を、前記パッド足に加わる荷重に応じて弾性変形可能な線径に形成したことを特徴とする請求項１に記載のノーズパッド取付け部の構造。
【請求項４】
請求項１から３の何れかに記載のノーズパッド取付け部の構造をフロント部に備えてなることを特徴とするメガネフレーム。
【発明の詳細な説明】
【技術分野】
【０００１】
本発明は、ノーズパッド取付け部の構造及びメガネフレームに関し、特に、ノーズパッドを介して鼻の側面に加わる荷重を分散させる機能を備えたノーズパッド取付け部の構造及びメガネフレームに関する。
【背景技術】
【０００２】
メガネフレームの一例として、環状の一対のリム、両リムの内縁部間を連結するブリッジ、及び各リムの外縁部に連結されるヨロイからなるフロント部と、フロント部の各ヨロイに蝶番を介して回動自在に連結されるテンプルと、各リムの内縁部に連結されるパッド足と、パッド足に取り付けられるノーズパッドとを備えたものが知られている。
【０００３】
このような構成のメガネフレームにあっては、各リムの内側に視力矯正用、紫外線遮蔽用等のレンズを装着し、顔の前面に装着して両ノーズパッドを鼻の側面に当接させ、テンプルを耳に引っ掛けることにより、顔の前面の所定の位置に保持することができ、各レンズを通して視力を矯正、紫外線を遮蔽等することができるものである（例えば、特許文献１参照。）。
【特許文献１】登録実用新案第３０３５２７９号公報
【発明の開示】
【発明が解決しようとする課題】
【０００４】
ところで、上記のような構成のメガネフレームにあっては、パッド足の先端部にノーズパッドを可動自在に設けるとともに、ノーズパッドの素材に柔らかいものを使用することにより、鼻の側面にノーズパッドの跡が付いて痛みが生じるのを防止している。しかし、これだけでは十分でなく、長時間の使用によって鼻の側面にノーズパッドによる跡が付いて痛みが生じるのを避けられない。
【０００５】
本発明は、上記のような従来の問題を解決したものであって、長時間使用しても、鼻の側面にノーズパッドの跡が付いて痛みが生じるようなことがなく、快適な装着性を長時間維持することができるノーズパッド取付け部の構造及びメガネフレームを提供することを目的とするものである。
【課題を解決するための手段】
【０００６】
上記の課題を解決するために、本発明の請求項１に係るノーズパッド取付け部の構造は、ノーズパッドをパッド足を介してフロント部に取り付けるノーズパッド取付け部の構造であって、前記パッド足を、前記ノーズパッドに加わる荷重に応じて弾性変形可能に構成した手段を採用している。
【０００７】
また、本発明の請求項２に係るノーズパッド取付け部の構造は、請求項１に記載のノーズパッド取付け部の構造であって、前記パッド足を、前記ノーズパッドに加わる荷重に応じて弾性変形可能な素材で形成した手段を採用している。
【０００８】
さらに、本発明の請求項３に係るノーズパッド取付け部の構造は、請求項１に記載のノーズパッド取付け部の構造であって、前記パッド足を、前記パッド足に加わる荷重に応じて弾性変形可能な線径に形成した手段を採用している。
【０００９】
さらに、本発明の請求項４に係るメガネフレームは、請求項１から３の何れかに記載のノーズパッド取付け部の構造をフロント部に備えてなる手段を採用している。
【発明の効果】
【００１０】
本発明は、前記のように構成したことにより、メガネフレームを顔に装着した場合に、ノーズパッドに作用するメガネフレームからの荷重に応じてパッド足が弾性変形することになる。従って、ノーズパッドが鼻の側面に強く当たって、鼻の側面にノーズパッドの跡が付き、痛みが生じるようなことはなく、快適な装着性が長時間得られることになる。
【発明を実施するための最良の形態】
【００１１】
以下、図面に示す本発明の実施の形態について説明する。
図１及び図２には、本発明によるノーズパッド取付け部の構造及びそのノーズパッド取付け部の構造を備えたメガネフレームの一実施の形態が示されていて、図１は、メガネフレームの全体を示す斜視図、図２はノーズパッド取付け部の構造の全体を示す斜視図である。
【００１２】
すなわち、このメガネフレーム１は、図１に示すように、一対の環状のリム３、３、両リム３、３の内縁部間に連結されるブリッジ４、各リム３の外縁部にそれぞれ連結されるヨロイ５からなるフロント部２と、フロント部２の各ヨロイ５に蝶番６を介してそれぞれ回動自在に連結されるテンプル７とを備えている。
【００１３】
各リム３の内面には全周に渡って溝（図示せず）が設けられ、この溝内に視力矯正用、紫外線遮蔽用等のレンズ（図示せず）の外周部を嵌合させて締め付けることにより、各リム３の内側に視力矯正用、紫外線遮蔽用等のレンズがそれぞれ保持される。
【００１４】
フロント部２の中央部の裏面側には、図２に示すように、本発明によるノーズパッド取付け部の構造１０が構成されている。このノーズパッド取付け部の構造１０は、各リム３の内縁部の裏面側にそれぞれ溶接等によって一端部が一体に連結される一対のパッド足１１、１１と、各パッド足１１の他端部に連結されるパッド箱１５と、各パッド箱１５に可動自在に取り付けられるノーズパッド１６とを備えている。
【００１５】
各パッド足１１は、棒状の線材の中央部を屈曲させて略Ｕ形状の緩衝部１２を形成するとともに、この緩衝部１２の両端部を更に屈曲させてその部分に緩衝部１２と略直交する棒状のリム取付け部１３及びパッド箱取付け部１４を一体に形成したものであって、緩衝部１２の開口部が相手側のパッド足１１の緩衝部１２の開口部と対向するように、リム取付け部１３が各リム３の内縁部の裏面側に溶接等によって一体に連結されている。
【００１６】
各パッド足１１は、メガネフレーム１を顔に装着して両ノーズパッド１６、１６にメガネフレーム１からの荷重が作用した場合に、その荷重の大きさに応じて弾性変形するように構成され、主に緩衝部１２が略Ｕ形状の間隔を広げる方向、狭める方向等に弾性変形するように構成されている。
【００１７】
各パッド足１１をメガネフレーム１からの荷重に応じて弾性変形させるには、各パッド足１１を構成する素材に柔らかいものを使用する、各パッド足１１の素材に線径の細いものを使用する、等の方法が挙げられる。
【００１８】
各パッド足１１のパッド箱取付け部１４の先端部には、中空状のパッド箱１５が溶接等により一体に連結される。パッド箱１５の中空部には、ノーズパッド１６の中心部に一体に設けられている直方体状のパッド芯１７が挿入され、このパッド芯１７をパッド箱１５にねじ（図示せず）によって固定することにより、ノーズパッド１６がパッド足１１に可動自在に取り付けられる。ノーズパッド１６の材質としては、シリコン樹脂等が挙げられる。
【００１９】
そして、上記のように構成したノーズパッド取付け部の構造１０を備えたメガネフレーム１を顔に装着し、両ノーズパッド１６、１６を鼻の側面に当接させ、両テンプル７、７を耳に引っ掛けることにより、メガネフレーム１を顔の前面の所定の位置に保持することができ、レンズを通して視力を矯正したり、紫外線を遮蔽したりすることができるものである。
【００２０】
上記のように構成したこの実施の形態によるノーズパッド取付け部の構造１０及びメガネフレーム１にあっては、メガネフレーム１からの荷重がノーズパッド１６、１６に作用した場合に、その荷重の大きさに応じてパッド足１１、１１（特に、緩衝部１２、１２）が弾性変形することになるので、ノーズパッド１６、１６が鼻の側面に強く当たって鼻の側面に跡が付き、痛みが生じるようなことはなく、快適な装着性が長時間に渡って得られることになる。
【００２１】
なお、前記の説明においては、本発明によるノーズパッド取付け部の構造１０及びメガネフレーム１をフルリムタイプのメガネフレームに適用したが、ハーフリムタイプのメガネフレーム、ツーポイントタイプのメガネフレーム等の各種のメガネフレームに適用しても良いものであり、その場合にも同様の作用効果を奏するのは勿論のことである。
【図面の簡単な説明】
【００２２】
【図１】本発明によるメガネフレームの一実施の形態を示した斜視図である。
【図２】本発明によるノーズパッド取付け部の構造の一実施の形態を示した斜視図であって、図１の部分拡大図である。
【符号の説明】
【００２３】
１  メガネフレーム
２  フロント部
３  リム
４  ブリッジ
５  ヨロイ
６  蝶番
７  テンプル
１０  ノーズパッド取付け部の構造
１１  パッド足
１２  緩衝部
１３  リム取付け部
１４  パッド箱取付け部
１５  パッド箱
１６  ノーズパッド
１７  パッド芯
【図１】
2005352157.tif 000003
【図２】
2005352157.tif 000004